(57)【要約】【課題】デッキが先上がり、水平又は先下がりのいずれの態様で設置されても、高い排水性を維持することができるデッキの排水装置を提供する。【解決手段】妻梁３のデッキ内側の側面に、妻梁と別体に成形した雨樋１２を根太掛け側が高く前桁側が低くなるように傾斜して取付け、デッキ材の側端部を前記雨樋１２に臨ませ、デッキ上面の側端部から流出する雨水を雨樋１２に流入させて、雨樋１２の前端部付近に接続した雨水誘導部材を介して地上に排水するようにした。【選択図】      図１１
2004225304.tif 000002
【特許請求の範囲】
【請求項１】
妻梁のデッキ内側面に、妻梁と別体に成形した雨樋を、根太掛け側が高く、前桁側が低くなるように傾斜して取付け、デッキの側端部を前記雨樋に臨ませて、デッキ上面の側端部から流出する雨水を前記雨樋に流入させ、前記雨樋の前桁側端部付近に結合した雨水誘導部材を介して地上に排水することを特徴とするバルコニーの排水装置。
【請求項２】
妻梁のデッキ内側面に、妻梁と別体に成形した雨樋を、根太掛け側が高く、前桁側が低くなるように傾斜して取付け、デッキの側端部を前記雨樋に臨ませるとともに、前記デッキの前桁側端部を前記前桁のデッキ内側面に設けてある雨樋に臨ませて、デッキ上面の側端部から流出する雨水を前記妻梁の雨樋に流入させるとともに、前記デッキ上面の前端部から流出する雨水を前記前桁の雨樋に流入させ、前記前桁の雨樋の長手方向端部に形成した切欠又は孔から前記妻梁の雨樋に合流させ、前記妻梁の雨樋の前桁側端部付近に結合した雨水誘導部材を介して地上に排水することを特徴とするバルコニーの排水装置。
【請求項３】
一つの板材を、妻梁の雨樋の溝をその雨樋の根太掛け側端面において密閉するとともに、前記溝の上方開口面よりも上方に突出させた状態で、前記溝を形成する両側の壁に設けられているビスホールにねじ込まれるねじにより固定することにより小口塞ぎ兼デッキ材取付用スタータとし、前記板材と同一の形状及び寸法の板材を上下向きを逆にして、前記妻梁の雨樋の前桁側端面を密閉するとともに、前記妻梁の雨樋の溝の開口面から上方に突出しない状態で前記ビスホールにねじ込まれるねじにより固定することにより小口塞ぎとしたことを特徴とする請求項１又は２に記載されたバルコニーの排水装置。
【発明の詳細な説明】
【０００１】
【発明の属する技術分野】
本発明は、建物躯体に突設されるバルコニーのデッキ上面に降った雨水を妻梁及び前桁に設けた雨樋で受け、雨水誘導部材を介して地上に排水するバルコニーの排水装置に関する。
【０００２】
【従来の技術】
建物駆体に突設されるバルコニーには、地上に立設された柱によりバルコニーの先端隅角部を支持する有柱タイプと、そのような柱を有しない無柱タイプの二種類がある。いずれの場合も、デッキに降った雨水をデッキの下面から滴下させずに地上に誘導し排水するため、排水装置が備えられている。
【０００３】
バルコニーの排水装置には、デッキ上面の後端部（駆体側端部）から流出する雨水を根太掛けに設けた雨樋（後樋）又はデッキ上面の後端部に設けた雨樋（後樋）で受けた後、妻梁に設けた雨樋（側樋）に流下させ、デッキ上面の側端部（妻梁側端部）から流出する雨水を側樋で受け、デッキ上面の前端部（前桁側端部）から流出する雨水はデッキ上面の前端部に設けた雨樋（前樋）で受けて、その前樋から側樋に合流させ、側樋に結合した立て樋又は呼び樋と立て樋あるいは導水チェーン等の雨水誘導部材を介して地上に排水するもの（特許文献１参照）、駆体の側樋よりも一段低い位置に集合樋を設け、両側樋に集められた雨水をさらに集合樋に集めて雨水誘導部材を介して地上に排水するもの（特許文献２参照）が知られている。また、デッキ側端部から側樋に流下させた雨水を全て前桁に設けた前樋に集合させ、その前樋から雨水誘導部材を介して地上に排水するようにしたもの（特許文献３）も知られている。
【０００４】
【特許文献１】
特開昭５８−４０６１８号公報
【特許文献２】
特開平８−２０９８７０号公報
【特許文献３】
特開平１２−２７３８３号公報
【０００５】
そして、とくに無柱タイプのバルコニーは、デッキ上面、従ってまた妻梁は、根太掛け側よりも前桁側が若干高くなるように傾斜させて（これを以下、先上がりという。）設置されることがある。その理由は、経年変化又は劣化により前桁側が幾分低下するので、それを見込んで低下した時に水平になるように設計されるためである。もし、最初から水平に設置した場合は、経年変化又は劣化により妻梁の雨樋が根太掛け側よりも前桁側が低くなるように傾斜する（これを以下、先下がりという。）ことになる。
【０００６】
【発明が解決しようとする課題】
しかしながら、従来は、妻梁の雨樋、前桁の雨樋及び根太掛けの雨樋は、いずれもそれぞれ妻梁、前桁、根太掛けに一体に成形されている。従って、最初に先上がりに設置されるバルコニーにおいては、（ａ）デッキ上面に降った雨の大部分が根太掛けの雨樋に集中することとなるが、根太掛けの雨樋は通常細いので、雨水が溢れてデッキ下方に滴下する問題がある。また、（ｂ）妻梁の屋外側端部付近に立て樋を結合した場合は、降雨終了後も妻梁の雨樋に雨水が溜まって早期に完全排水されない。そのため、妻梁の雨樋の端部の水密性が良くないと、妻梁の躯体側端部から漏水が生じ易い。そして、経年変化等によりデッキが水平になった時は、デッキ上面及び妻梁の雨樋の排水性が低下する。
また、立て樋が妻梁の躯体側端部に結合されているデッキが、水平に設置された場合は、経年変化又は劣化により妻梁の雨樋が先下がり状態になった後は、妻梁の雨樋の前桁側部分に雨水が溜まって、同様に排水性が低下し、妻梁の前桁側端部から漏水又は滴下する等の問題がある。
【０００７】
本発明は、上記事情に鑑みてなされたものであり、その課題は、デッキが先上がり、水平又は先下がりのいずれの態様で設置されても、当初から、また、経年変化などの影響を受けずに、妻梁の高い排水性を維持することができるデッキの排水装置を提供することにある。
【０００８】
また、本発明の他の課題は、上記に加えて、妻梁及び前桁双方からの排水性が向上されたデッキの排水装置を提供することにある。
【０００９】
さらに、本発明は、上記に加えて、デッキ材の正確な位置への取付けが容易にでき、しかも、妻梁の雨樋からの漏水・滴下などが有効に防止されるデッキの排水装置を提供することにある。
【００１０】
【課題を解決するための手段】
上記課題を解決するため、請求項１の本発明によるデッキの排水装置は、妻梁のデッキ内側面に、妻梁と別体に成形した雨樋を根太掛け側が高く前桁側が低くなるように傾斜して取付け、デッキの側端部を前記妻梁の雨樋（以下、妻雨樋という。）に臨ませ、デッキ上面の側端部から流出する雨水を前記妻雨樋に流入させて、前記妻雨樋の前桁側端部付近に結合した雨水誘導部材を介して地上に排水することを特徴としている。
上記構成により、妻梁と別体に形成された妻雨樋を妻梁のデッキ内側面に取付るので、妻梁が先上がり、水平又は先下がりのいずれの態様で設置される場合も、妻雨樋は先下がり状態で妻梁に取付けることができる。従って、妻梁が設置当初から又は経年変化により先上がり状態、水平状態又は先下がり状態のいずれの場合も、デッキの間口方向両端部から流出する雨水は妻雨樋に流入し、円滑にその妻雨樋を前桁側端部方向に流れて、雨水誘導部材を介して地上に排水され、高い排水性が得られる。
【００１１】
また、請求項２の本発明によるデッキの排水装置は、妻梁のデッキ内側面に妻梁と別体の妻雨樋を、根太掛け側が高く、前桁側が低くなるように傾斜して取付け、デッキの側端部を前記妻雨樋に臨ませるとともに、前記デッキの前端部を前記前桁のデッキ内側面に形成してある雨樋（以下、前雨樋という。）に臨ませて、デッキ上面の側端部から流出する雨水を前記妻雨樋に流入させるとともに、前記デッキ上面の前端部から流出する雨水を前記前雨樋に流入させ、前記前雨樋の長手方向端部に形成した切欠（孔を含む。以下、同じ。）から前記妻雨樋に合流させ、前記妻雨樋の前桁側端部付近に結合した雨水誘導部材とを介して地上に排水することを特徴としている。
上記構成により、デッキ上面の間口方向両端部から流出する雨水は妻雨樋に流入し、デッキ上面の前端部から流出する雨水は前雨樋に流入した後、切欠を経て妻雨樋に合流し、雨水誘導部材を介して地上に排水される。妻雨樋が、最初から先下がり状態に設置されていて、経年変化により先下がり傾斜度が進んでも、また、水平状態に設置された妻梁が経年変化により先下がり状態に変化しても、常に妻雨樋の高い排水性は維持される。
【００１２】
上記デッキの排水装置において、一つの板材を、妻梁の雨樋の溝をその雨樋の根太掛け側端面において密閉するとともに、前記溝の上方開口面よりも上方に突出させた状態で、前記溝を形成する両側の壁に設けられているビスホールにねじ込まれるねじにより固定することにより小口塞ぎ兼デッキ材取付用スタータとし、前記板材と同一の形状及び寸法の板材を上下向きを逆にして、前記妻梁の雨樋の前桁側端面を密閉するとともに、前記妻梁の雨樋の溝の開口面から上方に突出しない状態で前記ビスホールにねじ込まれるねじにより固定することにより小口塞ぎとすることが望ましい。
小口塞ぎ兼デッキ材取付用スタータは、妻雨樋の溝の根太掛け側端面を閉塞するので、妻雨樋に流入した雨水が根太掛け側に流出することが防止され、また、最初のデッキ材を根太に載置する際の根太掛け側始端位置を容易正確に決めることができ、従って、デッキ上面の側端部から流出する雨水が妻雨樋から外れた位置より滴下することを防止できる。さらに、同一の板材を、妻雨樋の両端部において単に上下の向きを変えて取付けるだけで、溝端部の閉塞とデッキ材の躯体側の位置決めが簡単正確にできる。
【００１３】
【発明の実施の形態】
次に、本発明の実施の形態について、図面に基づいて説明する。
図１ないし図１０は、バルコニーの構成部材をその設置工程順に沿って説明するものためのであり、図１は躯体に対する先付金具の取付け状態を示す斜視図、図２は先付金具を用いて妻梁を取付ける工程を説明する斜視図、図３は取付けられた妻梁の基端の間に根太掛けを取付ける工程を説明する斜視図、図４は妻梁に対する根太掛けの位置決め構造を示す要部の断面図、図５は妻梁と根太掛けの端部同士の位置関係を説明する斜視図、図６は妻梁の先端の間に前桁を取付ける工程を説明する斜視図、図７は前桁の形状・構造を示す斜視図、図８は前桁の断面図、図９は妻梁に対する前桁の取付時の移動方向及び位置関係を示す断面図、図１０は妻雨樋の形状及び構造を一部破断して示す斜視図である。
図１１は本発明による排水装置を備えたバルコニーの要部の断面図、図１２は図１１のＸ−Ｘ線断面図、図１３は図１１のＹ−Ｙ線断面図、図１４は妻雨樋に対する落下筒の取付けを説明する斜視図である。
【００１４】
［バルコニーの構成］
まず、バルコニーの設置順序に従って、各構成部材について説明する。
図１に示すように、躯体１に屋外方向に突出する左右２本の先付金具２をバルコニーの間口寸法に対応する間隔を持って固着板２ａにおいてねじ止めにより固定する。この場合、先付金具２は、バルコニーが先上がり状態に設置されるか、水平状態に設置されるか、先下がりに設置されるかに応じて、先上がり、水平又は先下がりに固定される。
【００１５】
次に、図２に右側の先付金具２についてのみ示すように、各先付金具２を妻梁３の中に挿入し、ねじｓ１をねじ込むことにより、妻梁３が躯体に固定される。さらに詳述すると、妻梁３は主体が角筒状に形成されて中空部３ａを有しており、各先付金具２を妻梁３の躯体側端面が先付金具２の固着板２ａに当接するまで妻梁３の中空部３ａに入れ子式に挿入し、妻梁３の中空部３ａを形成する内壁３ｂに設けてあるねじ挿通孔３ｃにねじｓ１を挿通し、先付金具２にねじ込むことにより固定する。固定後、ねじ挿通孔３ｃに雨水が浸入するのを防ぐため、孔塞ぎシール４が貼付けられる。妻梁３の内壁３ｂの下端部には後述される補助雨樋３ｅが一体に突設されている。
【００１６】
続いて、図３に示すように、躯体１に固定された左右の妻梁３の躯体側端部  （これを基端ということがある。）の間に根太掛け５が嵌合され、コーチスクリュー等のねじｓ２により躯体１に固定される。この場合、図２，３，４に示すように、妻梁３の内壁３ｂの躯体側端部を水平に切り起して矩形の係止片３ｄが形成してあり、また、図３，４に示すように、根太掛け５は、躯体に密着される垂直壁５ａと、その垂直壁５ａの上端部から屋外方向にほぼ水平に延びて、後述されるデッキ上面の躯体側端部を被覆するカバー部５ｂと、垂直壁５ａの下端部から屋外方向に段状に延びる根太受け５ｃとを有して、全体として断面ほぼコ字形に形成されているので、根太受け５ｃを左右の妻梁の係止片３ｄに載せて、容易に根太掛け５を水平状態に保持できるようにしてあり、水平に保持した状態でねじｓ２を正確な位置に容易にねじ込むことが可能とされている。
【００１７】
妻梁３と根太掛け５が躯体１に固定された後、図５に示すように、妻梁３と根太掛け５の上端部と躯体の壁面との間にコーキング材６を充填するなどのシール処理が施される。
【００１８】
根太掛け５の取付け後は、図６に示すように、左右の妻梁３の屋外側端部（これを先端ということがある。）の間に前桁７を、その長手方向端面を妻梁３の先端側の対向面、すなわち、内壁３ｂに当接した状態で連結する。さらに詳述すると、前桁７は、図７にも示すように、主体が角筒状に形成されて中空部７ａを有し、その中空部を形成する内壁７ｂの上部に上面に開放され、かつ、長手方向に開口する前雨樋７ｃが一体に形成され、また、内壁７ｂの下部に根太受け７ｄが形成されている。
【００１９】
そして、図６に示すように内壁７ｂを躯体側に向け、図７に示すように、Ｌ字形の前桁取付け用ブラケット８の一辺８ａを中空部７ａの端部に挿入し、そのブラケットの他辺８ｂを中空部７ａの開口面に位置させた状態（図６参照）でねじｓ３により内壁７ｂに固着し、その前桁７を図６に示すように、妻梁３の先端部の間に上方から降下して嵌合し、妻梁３の内壁３ｂの下部に突設されている補助雨樋３ｅの上に載置する。
この時、図８に示すように、前桁７の中空部７ａを形成している下壁７ｅの長手方向端部を下方に切り起して係止片７ｆが形成してあるので、図９に示すように、前桁７を降下させる際に、係止片７ｆを妻梁３の補助雨樋３ｅの中に嵌合係止させることにより、前桁７を妻梁３に連結する前に左右両側の妻梁３の間の正確な位置に安定して保持することができる。
【００２０】
図６に示すように、前桁７の長手方向端面及びその端面に位置されたブラケット８の他辺８ｂを妻梁３の先端の対向面、すなわち内壁３ｂに当接させ、他辺８ｂ及び内壁３ｂに設けてある孔を合致させ、妻梁３の中空部３ａからねじｓ４を内壁の孔に貫通し、ブラケット８の他辺８ｂのねじ孔にねじ込むことにより、前桁７が両妻梁３に連結される。
【００２１】
なお、その連結前に前桁７の長手方向両端面にはシーリング材１１が貼付けられて、連結された状態では妻梁３と前桁７の当接面に高い水密性が得られている。また、各妻梁３の先端面にもシーリング材１１が貼付けられた後、妻梁３の中空部３ａに妻梁キャップ９が嵌着されて、妻梁の中空部３ａの先端が密閉されて、高い水密性が得られている。
【００２２】
上記のようにして、躯体１の屋外側面に左右の妻梁３と根太掛け５と前桁７とが矩形枠状に連結された後、両妻梁３の対向面、すなわち内壁３ｂ面に、図１０及び図１１に示すように、妻梁３とは別体に成形された妻雨樋１２が、躯体側よりも前桁側が低くなる先下がり状態で取付けられる。
【００２３】
妻雨樋１２は、図１０，１２，１３，１４に示すように、外縦壁１２ａと、その外縦壁の下端部から所要の幅をもって水平内側に延びる底壁１２ｂと、その底壁の内側端部においてその上下方向に延びる内縦壁１２ｃを有し、外縦壁１２ａは内縦壁１２ｃよりも高い位置まで起立している。そして、外縦壁１２ａと底壁１２ｂと内縦壁１２ｃの底壁よりも上側部分とによって上方に開放され、かつ、妻雨樋の長手方向に開口する溝１２ｄが形成されている。さらに、外縦壁１２ａの上端部と、内縦壁１２ｃの上下両端部に水平内側に延出する支持縁１０ｅ；１０ｆ，１２ｇが設けられている。また、溝１２ｄを形成する外縦壁１２ａと内縦壁１２ｃにはビスホール１２ｈ，１２ｉが設けられている。
【００２４】
妻雨樋１２を先下がり状態で取付けることを容易にするための一つの方法として、妻梁３の補助雨樋３ｅの上面から根太掛け５の根太受け５ｄの上面までの高さは、妻梁３の補助雨樋３ｅの上面から前桁７の根太受け７ｄの上面までの高さよりも大きくなるように設計されている。
そして、矩形枠状に連結した後の根太掛け５ｄと前桁７の間に妻雨樋１２が掛け渡され、その妻雨樋の外縦壁１２ａを妻梁３の内壁３ｂに当接し、かつ、妻雨樋１２の長手方向両端部における内縦壁１２ｃの下側の支持縁１０ｇを根太掛け５の根太受け５ｄと前桁７の根太受け７ｄとに載置して、それらの根太受け５ｄ，７ｄの下側からこれらにねじ込まれるねじｓ５により、妻雨樋の両端部が固定されている。従って、妻雨樋１２は先下がり状態に取付けられる。
【００２５】
この場合、図１０に示すように、妻雨樋１２の長手方向両端部には、形状及び寸法が同一の二つの妻雨樋小口塞ぎ１３ａ，１３ｂが、ビスホール１２ｈ，１２ｉにねじ込まれるねじｓ６により取付けられている。妻雨樋小口塞ぎ１３ａ，１３ｂは、矩形の板１３で形成されており、その高さが溝１２ｄの深さ、すなわち、底壁１２ｂから支持縁１０ｆまでの距離よりも若干大きくされている。
そして、妻雨樋１２の躯体側端部に取付けられる妻雨樋小口塞ぎ１３ａは、図１０及び図１２に示すように、その下辺を底壁１２ｂに一致させて取付けられて、妻雨樋の溝１２ｄの長手方向端部を密閉しているとともに、妻雨樋小口塞ぎ１３ａの上端部が支持縁１０ｆよりも上方に突出されている。また、妻雨樋１２の前端部に取付けられる妻雨樋小口塞ぎ１３ｂは、図１０及び図１３に示すように、その上辺を支持縁１０ｆと一致させて取付けられ、妻雨樋の溝１２ｄの長手方向端部を密閉している。
【００２６】
上記妻雨樋１２が妻梁３の内側面に当接して根太掛け５と前桁７の間に掛け渡され、支持縁１２ｇにおいてねじｓ５により固定されると、支持縁１２ｆはこれにデッキ材１４のデッキの側端部（間口方向端部）を載置して支持するために用いられる。
【００２７】
次に、根太掛け５及び前桁７の長手方向中間位置において、根太掛け５及び前桁７に直角な方向に長い複数本の既知の根太１３が所要の間隔をおいて妻梁３と平行に掛け渡されて、固定される。根太１３は妻雨樋１２の内縦壁１２ｃの高さと等しい高さを有し、その長手方向両端部をそれぞれ根太掛け５の根太受け５ｄ及び前桁７の根太受け７ｄに載せ、ねじｓ５と同様のねじにより固定される。従って、妻雨樋１２の支持縁１２ｆの上面と各根太１３の上面はすべて一つの共通の先下がり傾斜面上に存在する。
【００２８】
そして、上記共通の傾斜面上に既知のデッキ材１４が次のようにして躯体側から前桁側の方向に順次取付けられる。すなわち、最初のデッキ材を根太１３及び妻雨樋１２の支持縁１２ｆの上に置き、躯体１方向に摺動する。この時、図１１に示すように、妻雨樋１２の躯体側端部に支持縁１２ｆよりも上方に突出する妻雨樋小口塞ぎ１３ａが設けてあるので、摺動されるデッキ材はこの妻雨樋小口塞ぎ１３ａに止められる。すなわち、妻雨樋小口塞ぎ１３ａはデッキ材設置のスタータとして機能し、最初のデッキ材を躯体方向に摺動するだけで、デッキ材が正確に位置決めされ、後続の他のデッキ材を順次根太１３及び妻雨樋１２の支持縁１２ｆの上に載置し、躯体１方向に摺動するだけで、簡単迅速にすべてのデッキ材を設計通り所定の位置に位置決めし、各デッキ材の間から挿入されるねじｓ６を根太１３に予め開けてあるねじ孔にねじ込んでデッキ材１４を円滑に固定することができる。
【００２９】
そして、最初のデッキ材の躯体側端部は根太掛け５のカバー部５ｂにより被覆される（図１１参照）。また、各デッキ材１４のデッキ側端部は、上述されたように支持縁１２ｆに載置されて、妻雨樋１２の溝１２ｄに臨ませてあり、デッキ材の側端部及び溝１２ｄは、妻雨樋１２の外縦壁１２ａの上端部に形成されている支持縁１２ｅに化粧ねじｓ７によりデッキカバー１５を固着することにより被覆される（図１２及び図１３参照）。さらに、最後のデッキ材の屋外側端部は、前桁７の前雨樋７ｃに臨ませてある。
【００３０】
上記バルコニーには、次に述べるような排水装置が備えられている。すなわち、デッキ上面の側端部は妻雨樋１２の溝１２ｄに臨んでおり、妻雨樋の溝１２ｄの躯体側端部及び屋外側端部は妻雨樋小口塞ぎ１３ａと１３ｂにより密閉されている。そして、妻雨樋１２の屋外側端部付近において、溝１２ｄの底に雨水落下用の孔１２ｊが設けられ、その孔に雨水落下筒１６の上端部が結合されている。従って、デッキの側端部から流出する雨水は、先下がりの妻雨樋１２の中をその屋外側端部方向に流れ、雨水落下孔１２ｊから雨水落下筒１６に流下する。
一方、デッキ上面の屋外側端部は前桁７の前雨樋７ｃに臨んでおり（図１１参照）、図７及び図９に示すように、その前雨樋７ｃの長手方向の少なくとも一端部が妻雨樋の溝１２ｄの幅を越えない長さに渡って切除されて、雨水落下用の孔７ｅが形成されている。そして、前雨樋７ｃの底は、妻雨樋の支持縁１２ｆよりも若干高い位置に存在するので（図１１及び図１３参照）、デッキ上面から前雨樋７ｃに流入した雨水は孔７ｅから妻雨樋１２の溝１２ｄに流下して、デッキの側端部から流入した雨水と合流し、雨水落下孔１２ｊから雨水落下筒１６に流下する。
【００３１】
雨水落下筒１６に落下した雨水は、図１１に例示するように、エルボ１７ａ、呼び樋１８、もう一つのエルボ１７ｂ及び立て樋１９を介して従来と同様に躯体付近を流下され、地上に排水される。
【００３２】
図１１は、無柱タイプのバルコニーの場合を例示しているので、前桁７付近に設けられた雨水落下筒１６から地上に排水するには、雨水落下筒１６をエルボ１７ａ、呼び樋１８及びエルボ１７ｂを介して躯体付近に設けられた立て樋１９に結合することが、外観上も障害防止のためにも望ましいが、無柱タイプのバルコニーの場合でも、また、有柱タイプのバルコニーの場合は特に、雨水落下筒１６の下端部を、その下方に垂直に設けられた、又は柱に近接して設けられた立て樋に結合しても良い。
【００３３】
また、図１１はデッキ上面が先下がりの場合を例示しているが、先上がりのデッキにおいても、妻雨樋は先下がりに取付けられているので、良好な排水性が得られることはいうまでもない。
【００３４】
上記のように、妻雨樋１２は妻梁３と別体に形成されているので、バルコニーが、先上がり、水平又は先下がりのいずれの場合にも、妻雨樋を先下がりに妻梁に取付けることが可能であり、従って、経年変化などによりバルコニーの設置角度が変化しても、常にデッキ上面に降った雨を妻雨樋の屋外側端部方向に流させて、その屋外側端部付近から地上に排水することができ、降雨量が多い時でも妻梁の躯体側端部から溢水することを確実に防ぐことができる。
【００３５】
図示の例では、前雨樋７ｃに流入した雨水を一旦妻雨樋１２に合流させて、雨水落下筒１６に流下させるようにしたが、妻雨樋１２と前雨樋７ｃにそれぞれ別個の雨水落下筒を結合し、その雨水落下筒の下端部に共通の呼び樋又は立て樋あるいは導水チェーン等の雨水誘導部材を結合しても良い。また、前桁７に最も近いデッキ材に雨樋（前樋）を備え、前桁方向ではなく妻雨樋方向に流す場合は、上述した前桁から雨水を妻雨樋に流入させるための構成は不要となる。
【００３６】
【発明の効果】
請求項１の発明によれば、妻雨樋が妻梁と別体に形成されて、デッキが先上がり、水平又は先下がりのいずれの態様で設置されても、妻雨樋を先下がり状態でに妻梁に取付けることができるので、当初から、また、経年変化などの影響を受けずに、妻梁の高い排水性を維持することができる。
【００３７】
請求項２の発明によれば、デッキ上面の両端部から流出する雨水及びデッキ上面の屋外側端部から流出する雨水が妻雨樋に合流させ、共通の雨水誘導部材を介して地上に排水することができる。従って、先上がり、水平又は先下がりのいずれの態様で設置されたデッキにおいても、妻梁及び前桁双方からの排水性が向上される。
【００３８】
請求項３の発明によれば、同一形状及び寸法の部材を向きを変えて取付けるだけで、妻雨樋の両端部の小口塞ぎと、デッキ材取付けスタータの取付けとを行うことができる。
【図面の簡単な説明】
【図１】躯体に対する先付金具の取付け状態を示す斜視図。
【図２】先付金具を用いて妻梁を取付ける工程を説明する斜視図。
【図３】取付けられた妻梁の基端の間に根太掛けを取付ける工程を説明する斜視図。
【図４】妻梁に対する根太掛けの位置決め構造を示す要部の断面図。
【図５】妻梁と根太掛けの端部同士の位置関係を説明する斜視図。
【図６】妻梁の先端の間に前桁を取付ける工程を説明する斜視図。
【図７】前桁の構造を示す斜視図。
【図８】図８は前桁の断面図。
【図９】妻梁に対する前桁の取付位置関係を示す断面図。
【図１０】妻雨樋の形状及び構造を一部破断して示す斜視図。
【図１１】本発明による排水装置を備えたバルコニーの要部の断面図。
【図１２】図１１のＸ−Ｘ線断面図。
【図１３】図１１のＹ−Ｙ線断面図。
【図１４】妻雨樋に対する落下筒及び合流器の取付けを説明する斜視図。
【図１】
2004225304.tif 000003
【図２】
2004225304.tif 000004
【図３】
2004225304.tif 000005
【図４】
2004225304.tif 000006
【図５】
2004225304.tif 000007
【図６】
2004225304.tif 000008
【図７】
2004225304.tif 000009
【図８】
2004225304.tif 000010
【図９】
2004225304.tif 000011
【図１０】
2004225304.tif 000012
【図１１】
2004225304.tif 000013
【図１２】
2004225304.tif 000014
【図１３】
2004225304.tif 000015
【図１４】
2004225304.tif 000016